(57)【特許請求の範囲】
【請求項１】
シートを折ることで形成され、内部に物品を収容可能な容器であって、
前記シートが、
基部と、
前記基部に配置された複数の第１折目線を介して連設され、前記各第１折目線にて前記基部に向かって折り返し可能な複数の外フラップ部と、
前記複数の外フラップ部のうちの少なくとも１つの外フラップ部に第２折目線を介して連設され、前記第２折目線にて折り返し可能な内フラップ部とを備え、
前記各第１折目線に沿う前記複数の外フラップ部の折り返しによって、前記基部と前記複数の外フラップ部とにより前記物品を収容する袋体が形成されていると共に、前記第２折目線に沿う前記内フラップ部の前記袋体の内部への折り返しによって、前記内フラップ部の外縁の少なくとも一部が前記基部に当接しており、
前記シートは、前記内フラップ部の外縁が前記基部に当接することで前記袋体の内部における前記基部と前記外フラップ部との間隔を拡張可能な弾力性を有しており、
前記内フラップ部の前記基部に当接する外縁の長さが前記第２折目線の長さよりも長いことを特徴とする容器。
【請求項２】
複数の外フラップ部は、内フラップ部が連設された下外フラップ部と、内フラップ部が連設されていない左外フラップ部および右外フラップ部とからなり、
前記左外フラップ部および右外フラップ部のそれぞれは、前記下外フラップ部に連接した前記内フラップ部と前記下外フラップ部との間に位置しかつ前記内フラップ部を支承する支承片を有し、
前記支承片の第２折目線側の端縁が前記第２折目線と非平行かつ先端に向かうにつれて前記第２折目線から漸次離間している請求項１に記載の容器。
【請求項３】
左外フラップ部および右外フラップ部のそれぞれは、第２折目線の一端が当接可能な平面視弧状の端縁を有している請求項２に記載の容器。
【請求項４】
シートを折ることで形成され、内部に物品を収容可能な容器であって、
前記シートが、
基部と、
前記基部に第１折目線を介して連設され、前記第１折目線にて前記基部に向かって折り返し可能な外フラップ部と、
前記外フラップ部の前記第１折目線と反対側に位置する第２折目線を介して連設され、前記第２折目線にて折り返し可能な内フラップ部とを備え、
前記第１折目線に沿う前記外フラップ部の折り返しかつ前記外フラップ部の開放された両端部と前記基部との接合によって、前記基部と前記外フラップ部とにより前記物品を収容する袋体が形成されていると共に、前記第２折目線に沿う前記内フラップ部の前記袋体の内部への折り返しによって、前記内フラップ部の外縁の少なくとも一部が前記基部に当接しており、
前記シートは、前記内フラップ部の外縁が前記基部に当接することで前記袋体の内部における前記基部と前記外フラップ部との間隔を拡張可能な弾力性を有しており、
前記内フラップ部の前記基部に当接する外縁の長さが前記第２折目線の長さよりも長いことを特徴とする容器。
【請求項５】
基部に第３折目線を介して連設され、前記第３折目線にて折り返すことで袋体を閉塞可能な蓋フラップ部をさらに備えている請求項１から請求項４のいずれか１項に記載の容器。
【請求項６】
蓋フラップ部が袋体を閉塞した状態で、前記蓋フラップ部と前記袋体とを締結する締結手段をさらに備えている請求項５に記載の容器。
【請求項７】
請求項１から請求項４のいずれか１項に記載の容器の基部における袋体開口側の端縁と、前記容器と異なる容器であって請求項１から請求項４のいずれか１項に記載の容器の基部における袋体開口側の端縁とが対向接続され、この対向接続された部位は第４折目線であり、前記第４折目線にて互いに異なる前記容器どうしを折り返すことで前記各容器を閉塞可能な容器。
【請求項８】
容器どうしが折り返された状態で、前記容器どうしを締結する締結手段をさらに備えている請求項７に記載の容器。
【請求項９】
シートが熱可塑性樹脂を含む材料により形成されている請求項１から請求項８のいずれか１項に記載の容器。
【発明の詳細な説明】
【技術分野】
【０００１】
本発明は、容器に関する。さらに詳しくは、本発明は、シートを折ることで形成され、内部に物品を収容可能な容器に関する。
【背景技術】
【０００２】
葉書や名刺などを収容する容器としては、例えば、のり代を有する１枚のシートを折り返して重ね合わせ、この重ね合わせたシートどうしを糊付けすることで袋体を形成し、得られた袋体を容器として用いるものが知られている（例えば、特許文献１参照）。
【０００３】
このような容器は、上述したようなシートの折り返しおよび糊付けという簡易な工程で簡便に容器を形成することができる。
【先行技術文献】
【特許文献】
【０００４】
【特許文献１】実開昭５３−６０４２１号公報
【発明の概要】
【発明が解決しようとする課題】
【０００５】
しかしながら、上述したような従来の容器では、シートを折り返して重ね合わせるため、一度挿入した葉書等の物品は表裏のシートに挟持されて容易に抜け出すことはないものの、上記物品を収容する際には入口が閉口し易くなって差し入れ難いという問題がある。
【０００６】
本発明は、以上のような事情に基づいてなされたものであり、その目的は、内部の空間を拡げて物品を容易に差し入れることができると共に、収容された物品が容易に抜け出すのを防止することができる容器を提供することにある。
【課題を解決するための手段】
【０００７】
本発明は、
（１）シートを折ることで形成され、内部に物品を収容可能な容器であって、
前記シートが、
基部と、
前記基部に配置された複数の第１折目線を介して連設され、前記各第１折目線にて前記基部に向かって折り返し可能な複数の外フラップ部と、
前記複数の外フラップ部のうちの少なくとも１つの外フラップ部に第２折目線を介して連設され、前記第２折目線にて折り返し可能な内フラップ部とを備え、
前記各第１折目線に沿う前記複数の外フラップ部の折り返しによって、前記基部と前記複数の外フラップ部とにより前記物品を収容する袋体が形成されていると共に、前記第２折目線に沿う前記内フラップ部の前記袋体の内部への折り返しによって、前記内フラップ部の外縁の少なくとも一部が前記基部に当接しており、
前記シートは、前記内フラップ部の外縁が前記基部に当接することで前記袋体の内部における前記基部と前記外フラップ部との間隔を拡張可能な弾力性を有しており、
前記内フラップ部の前記基部に当接する外縁の長さが前記第２折目線の長さよりも長いことを特徴とする容器、
（２）複数の外フラップ部は、内フラップ部が連設された下外フラップ部と、内フラップ部が連設されていない左外フラップ部および右外フラップ部とからなり、
前記左外フラップ部および右外フラップ部のそれぞれは、前記下外フラップ部に連接した前記内フラップ部と前記下外フラップ部との間に位置しかつ前記内フラップ部を支承する支承片を有し、
前記支承片の第２折目線側の端縁が前記第２折目線と非平行かつ先端に向かうにつれて前記第２折目線から漸次離間している前記（１）に記載の容器、
（３）左外フラップ部および右外フラップ部のそれぞれは、第２折目線の一端が当接可能な平面視弧状の端縁を有している前記（２）に記載の容器、
（４）シートを折ることで形成され、内部に物品を収容可能な容器であって、
前記シートが、
基部と、
前記基部に第１折目線を介して連設され、前記第１折目線にて前記基部に向かって折り返し可能な外フラップ部と、
前記外フラップ部の前記第１折目線と反対側に位置する第２折目線を介して連設され、前記第２折目線にて折り返し可能な内フラップ部とを備え、
前記第１折目線に沿う前記外フラップ部の折り返しかつ前記外フラップ部の開放された両端部と前記基部との接合によって、前記基部と前記外フラップ部とにより前記物品を収容する袋体が形成されていると共に、前記第２折目線に沿う前記内フラップ部の前記袋体の内部への折り返しによって、前記内フラップ部の外縁の少なくとも一部が前記基部に当接しており、
前記シートは、前記内フラップ部の外縁が前記基部に当接することで前記袋体の内部における前記基部と前記外フラップ部との間隔を拡張可能な弾力性を有しており、
前記内フラップ部の前記基部に当接する外縁の長さが前記第２折目線の長さよりも長いことを特徴とする容器、
（５）基部に第３折目線を介して連設され、前記第３折目線にて折り返すことで袋体を閉塞可能な蓋フラップ部をさらに備えている前記（１）から（４）のいずれか１項に記載の容器、
（６）蓋フラップ部が袋体を閉塞した状態で、前記蓋フラップ部と前記袋体とを締結する締結手段をさらに備えている前記（５）に記載の容器、
（７）前記（１）から（４）のいずれか１項に記載の容器の基部における袋体開口側の端縁と、前記容器と異なる容器であって前記（１）から（４）のいずれか１項に記載の容器の基部における袋体開口側の端縁とが対向接続され、この対向接続された部位は第４折目線であり、前記第４折目線にて互いに異なる前記容器どうしを折り返すことで前記各容器を閉塞可能な容器、
（８）容器どうしが折り返された状態で、前記容器どうしを締結する締結手段をさらに備えている前記（７）に記載の容器、
（９）シートが熱可塑性樹脂を含む材料により形成されている前記（１）から（８）のいずれか１項に記載の容器
に関する。
【０００８】
なお、シートが有する「袋体の内部における基部と外フラップ部との間隔を拡張可能な弾力性」とは、物品を収容していない状態で、内フラップ部が基部に当接することにより、少なくともいずれか１つの任意の二点間の距離が伸長する度合いのシートの弾力性を意味する。但し、上記二点間のうちの一点は外フラップ部における基部側の面上の点であり、他の一点は基部における外フラップ部側の面上の点である。また、「第１折目線」には、山折り−山折りのように連続（いずれも同方向に折曲）している互いに略平行な２本以上の折目線の一群、および山折り−谷折り−山折りのように連続（交互に異方向に折曲）している互いに略平行な３本以上の折目線の一群が含まれる。
【発明の効果】
【０００９】
本発明は、内部の空間を拡げて物品を容易に差し入れることができると共に、収容された物品が容易に抜け出すのを防止することができる容器を提供することができる。
【図面の簡単な説明】
【００１０】
【図１】本発明の第１の実施形態を示す概略図であって、（ａ）は正面図、（ｂ）は（ａ）のＡ−Ａ断面図をそれぞれ示す。
【図２】図１の容器の蓋フラップ部を除去して示す概略正面図である。
【図３】図１の容器の展開状態を示す概略図である。
【図４】図３の一部を拡大して示す概略図である。
【図５Ａ】図１の容器の形成過程を示す概略図であって、（ａ）は左外フラップ部および右外フラップ部を折り返した状態、（ｂ）は下外フラップ部を折り返した状態をそれぞれ示す。
【図５Ｂ】図１の容器の形成過程を示す概略図であって、（ｃ）は内フラップ部を折り返した状態、（ｄ）は（ｃ）のＢ−Ｂ断面図、（ｅ）は（ｄ）の物品収容時の状態をそれぞれ示す。
【図６】本発明の第２の実施形態を示す概略図である。
【図７】図６の容器の展開状態を示す概略図である。
【図８】図６の容器の形成過程を示す概略図であって、（ａ）は外フラップ部を折り返して接合した状態、（ｂ）は内フラップ部を折り返した状態をそれぞれ示す。
【図９】本発明の第３の実施形態を示す概略図である。
【図１０】図９の容器の展開状態を示す概略図である。
【図１１】図９の容器の形成過程を示す概略図である。
【発明を実施するための形態】
【００１１】
本発明の容器は、シートを折ることで形成され、内部に物品を収容可能な容器であって、上記シートが、基部と、上記基部に配置された複数の第１折目線を介して連設され、上記各第１折目線にて上記基部に向かって折り返し可能な複数の外フラップ部と、上記複数の外フラップ部のうちの少なくとも１つの外フラップ部に第２折目線を介して連設され、上記第２折目線にて折り返し可能な内フラップ部とを備え、上記各第１折目線に沿って上記複数の外フラップ部を折ると、上記基部と上記複数の外フラップ部とにより上記物品を収容する袋体が形成されると共に、上記第２折目線に沿って上記内フラップ部を上記袋体の内部に折ると、上記内フラップ部の外縁の少なくとも一部が上記基部に当接し、上記シートは、上記内フラップ部の外縁が上記基部に当接することで上記袋体の内部における上記基部と上記外フラップ部との間隔を拡張可能な弾力性を有していることを特徴とする。
【００１２】
また、本発明は、シートを折ることで形成され、内部に物品を収容可能な容器であって、上記シートが、基部と、上記基部に第１折目線を介して連設され、上記第１折目線にて上記基部に向かって折り返し可能な外フラップ部と、上記外フラップ部の上記第１折目線と反対側に位置する第２折目線を介して連設され、上記第２折目線にて折り返し可能な内フラップ部とを備え、上記第１折目線に沿って上記外フラップ部を折り返しかつ上記外フラップ部の開放された両端部と上記基部とを接合すると、上記基部と上記外フラップ部とにより上記物品を収容する袋体が形成されると共に、上記第２折目線に沿って上記内フラップ部を上記袋体の内部に折ると、上記内フラップ部の外縁の少なくとも一部が上記基部に当接し、上記シートは、上記内フラップ部の外縁が上記基部に当接することで上記袋体の内部における上記基部と上記外フラップ部との間隔を拡張可能な弾力性を有していることを特徴とする容器を含む。
【００１３】
また、本発明は、当該容器の基部における袋体開口側の端縁と、上記容器と異なる当該容器の基部における袋体開口側の端縁とが対向接続され、この対向接続された部位は第４折目線であり、上記第４折目線にて互いに異なる上記容器どうしを折り返すことで上記各容器を閉塞可能な容器を含む。
【００１４】
以下、当該容器の第１〜第３の実施形態について図面を参照して説明するが、本発明は当該図面に記載の実施形態にのみ限定されるものではない。
【００１５】
［第１の実施形態］
図１および図２は、本発明の第１の実施形態を示す概略図である。また、図３は、図１の容器の展開状態を示す概略図である。当該容器１００は、シートＳ１を折ることで形成され、内部に物品ｂを収容可能な容器であって、シートＳ１は、図１および図３に示すように、概略的に、基部１１０と、外フラップ部１２０と、内フラップ部１３０と、蓋フラップ部１４０と、締結手段１５０とにより構成されている。
【００１６】
上記シートＳ１は、内フラップ部１３０の外縁１３０ａが基部１１０に当接することで袋体１０５の内部における基部１１０と外フラップ部１２０との間隔を拡張可能な弾力性を有している。
【００１７】
シートＳ１を形成する材料としては、当該シートＳ１を折り返して容器１００を形成することができ、かつ上述した弾性力を有する限り特に限定されないが、熱可塑性樹脂を含む材料により形成されていることが好ましい。上記熱可塑性樹脂としては、例えば、ポリオレフィン系樹脂、ポリアミド系樹脂、熱可塑性ポリエステル系樹脂、ポリスチレン系樹脂、ポリカーボネート、ポリフェニレンスルフィド等が挙げられる。
【００１８】
上記ポリオレフィン系樹脂としては、例えば、高密度ポリエチレン（ＨＤＰＥ）、中密度ポリエチレン（ＭＤＰＥ）、低密度ポリエチレン（ＬＤＰＥ）、直鎖状低密度ポリエチレン（ＬＬＤＰＥ）、エチレンとプロピレン、１−ブテン、１−ペンテン、１−ヘキセン、１−ヘプテン等のα−オレフィンとのランダム共重合体またはブロック共重合体、エチレン−酢酸ビニル共重合体（ＥＶＡ）、エチレン−アクリル酸共重合体、エチレン−メタクリル酸共重合体などのポリエチレン系樹脂；プロピレン単独重合体、プロピレンと１−ブテン、１−ペンテン、１−ヘキセン、１−ヘプテン等のα−オレフィンとのランダム共重合体またはブロック共重合体などのポリプロピレン系樹脂；ポリブテン等が挙げられる。
【００１９】
上記ポリアミド系樹脂としては、例えば、ナイロン−６、ナイロン−６，６、ナイロン−６，１０、ナイロン−６，１２等が挙げられる。
【００２０】
上記熱可塑性ポリエステル系樹脂としては、例えば、ポリエチレンテレフタレート、ポリエチレンナフタレート、ポリ乳酸、乳酸共重合体、脂肪族ポリエステル等が挙げられる。
【００２１】
上記ポリスチレン系樹脂としては、例えば、アタクティックポリスチレン、シンジオタクティックポリスチレン等が挙げられる。
【００２２】
これらの中で、上記熱可塑性樹脂としては、強度向上および製造容易性の観点から、オレフィン系樹脂が好ましく、ポリエチレン系樹脂がより好ましく、高密度ポリエチレンがさらに好ましい。
【００２３】
また、シートＳ１は、本発明の効果を損なわない範囲で、上記熱可塑性樹脂以外の他の成分を含んでいてもよい。上記他の成分としては、例えば、充填剤、熱安定剤、光安定剤、分散剤、滑剤、帯電防止剤、可塑剤、染料、顔料、ブロッキング防止剤、難燃剤等が挙げられる。上記他の成分およびその含有量は、目的に応じて適宜選択することができる。
【００２４】
このように、シートＳ１が上記熱可塑性樹脂を含む材料で形成されていることで、シートＳ１の物性を紙に比べて広範かつ容易に調整することができ、例えば、高い弾力性を付与することで、容器１００（袋体１０５）内部の空間の拡張を促進することができると共に収容された物品ｂが容易に抜け出すのを防止することができる。
【００２５】
ここで、シートＳ１の弾性率は、ＪＩＳ  Ｐ８１４３：２００９（紙−こわさ試験方法−クラークこわさ試験機法）の規定に従って測定することができる。この規定に従い測定したとき、そのＳ値は１０以上が好ましく、５０以上がより好ましく、８０以上がさらに好ましい。これにより、シートＳ１を折ることで形成された容器１００のフラップ部（内フラップ部および外フラップ部）どうしがシートＳ１の弾性によって引っ張られるため、これらを確実に係合することができる。一方、上記Ｓ値は６００以下が好ましく、３００以下がより好ましく、１５０以下がより好ましい。これにより、シートＳ１に設けた各折目線に沿って確実にシートＳ１を折ることができる。また、上記規定に従い測定したとき、容器のゆがみを少なくする観点から、弾性率の異方性は小さいほうが好ましい。具体的には、シート流れに平行な方向のＳ値とシート流れに垂直な方向のＳ値との比は、０．５〜２．０の範囲が好ましく、０．７５〜１．３３の範囲がより好ましい。
【００２６】
また、シートＳ１の不透明度は、ＪＩＳ  Ｐ８１４９：２０００（紙及び板紙−不透明度試験方法（紙の裏当て）−拡散照明法）の規定に従って測定したとき、１５％以上８０％以下であることが好ましい。これにより、物品ｂの存否を認知させつつ、当該物品ｂが露呈するのを防止することができ、安心して物品ｂを収容することができる。上記不透明度は、物品ｂの露呈防止能を向上させる観点から、２５％以上であることがより好ましく、３０％以上であることがさらに好ましく、物品ｂの存否の認知性を向上させる観点から、７０％以下であることがより好ましく、６５％以下であることがさらに好ましい。
【００２７】
シートＳ１の厚さは、当該シートＳ１を折り返して容器１００を形成することができる限り特に限定されないが、通常１０μｍ以上５００μｍ以下であり、破断強度を向上させる観点から、２０μｍ以上が好ましく、３０μｍ以上がより好ましく、５０μｍ以上がさらに好ましく、折り返し性を向上させる観点から、３００μｍ以下が好ましく、２００μｍ以下がより好ましく、１５０μｍ以下がさらに好ましい。
【００２８】
また、シートＳ１は、内部に収容する物品ｂに応じて、耐水性、撥水性、防汚性、抗菌性、透視性等の機能を有していることが好ましい。これらの性質は、好ましくは、混練、表面処理、鑽孔等の既知の方法により付与することができる。さらに、シートＳ１は、抜き加工や折り加工等の加工適性、不透明度制御容易性、印刷適性、耐折り曲げ性、耐擦過性等を有していることも好ましい。
【００２９】
上述したシートＳ１に求められる弾性率、不透明度、厚さ等を満たす材料としては、合成紙が挙げられる。そのため、当該容器１００に用いられるシートＳ１は、合成紙により形成されていることが好ましい。この合成紙はフィルムの内部や表面にミクロなボイド（空隙）を持つものであり、例えば、ポリプロピレン樹脂に無機充填剤を添加し、延伸成形により製造された合成紙ユポ（登録商標）、ポリオレフィンにシリカおよび溶剤可溶性成分を配合して成形した後に溶剤によって前記可溶性成分を除去して製造された合成紙テスリン（登録商標）、ポリオレフィンに多量の無機充填剤を添加し、インフレーション成形により製造されたストーンペーパー（登録商標）等を挙げることができる。
【００３０】
基部１１０は、容器１００の底部を構成する部位であり、後述する外フラップ部１２０が連設されている。本実施形態の基部１１０は、平面視で長方形状であり、この長方形状を構成する４つの辺のうちの３つの辺のそれぞれが第１折目線Ｆ１１となっている。なお、第１折目線Ｆ１１の長さは、内部に収容可能な物品ｂの大きさによって異なるが、通常１０〜３５ｃｍの範囲であることが好ましい。
【００３１】
当該容器１００は、３つの外フラップ部１２０により構成されている。外フラップ部１２０は、基部１１０に配置された３つの第１折目線Ｆ１１を介して連設され、各第１折目線Ｆ１１にて基部１１０に向かって折り返し可能となっている。具体的には、３つの外フラップ部１２０は、後述する内フラップ部１３０が連設された下外フラップ部１２３と、上記内フラップ部が連設されていない左外フラップ部１２１および右外フラップ部１２２とからなる。本実施形態では、左外フラップ部１２１および右外フラップ部１２２は、基部１１０の互いに対向する位置に設けられ、基部１１０に対して対称形状となるように形成されている。また、下外フラップ部１２３は、左外フラップ部１２１と右外フラップ部１２２との間に設けられ、内フラップ部１３０と共に締結手段１５０が取り付けられている。
【００３２】
ここで、左外フラップ部１２１および右外フラップ部１２２のそれぞれは、図３に示すように、内フラップ部１３０と下外フラップ部１２３との間に位置しかつ内フラップ部１３０を支承する支承片１２１ａ、１２２ａを有している。また、図２に示すように、支承片１２１ａ、１２２ａの第２折目線Ｆ１２側の端縁１２１ａ１、１２２ａ１は、第２折目線Ｆ１２と非平行かつ先端に向かうにつれて第２折目線Ｆ１２から漸次離間するように形成されている。このように支承片１２１ａ、１２２ａの第２折目線Ｆ１２側の端縁１２１ａ１、１２２ａ１が形成されていることで、内フラップ部１３０を袋体１０５の内部に容易に折ることができる。
【００３３】
また、左外フラップ部１２１および右外フラップ部１２２のそれぞれは、第２折目線Ｆ１２の一端Ｆ１２ａが当接可能な平面視弧状の端縁１２１ｂ１、１２２ｂ１を有している。これにより、袋体１０５の開口度合いに応じて平面視弧状の端縁１２１ｂ１、１２２ｂ１における上記第２折目線Ｆ１２の一端Ｆ１２ａとの当接部位が可動し、物品ｂの出し入れを容易にすることができると共に厚みのある物品ｂを収容することができる。
【００３４】
内フラップ部１３０は、３つの外フラップ部１２０のうちの１つの外フラップ部１２０（下外フラップ部１２３）に第２折目線Ｆ１２を介して連設され、第２折目線Ｆ１２にて折り返し可能なフラップ部である。内フラップ部１３０は、具体的には、図３に示すように、略台形状に形成され、上記略台形状の上底が第２折目線Ｆ１２を構成すると共に、下底が基部１１０に当接する外縁１３０ａを構成している。また、この内フラップ部１３０は、当該内フラップ部１３０の基部１１０に当接する外縁１３０ａの長さが第２折目線Ｆ１２の長さよりも長くなるように形成されている。これにより、内フラップ部１３０の基部１１０に当接する外縁１３０ａの長さが第２折目線Ｆ１２側よりも長い分、下外フラップ部１２３と内フラップ部１３０とにより、左外フラップ部１２１および右外フラップ部１２２が開かないように保持すると同時に、内フラップ部１３０が内部に収容される物品ｂを容器１００内により確実に保持することができる。
【００３５】
ここで、内フラップ部１３０の輪郭と下外フラップ部１２３の輪郭とが直線状または曲線状に連続していることが好ましい。本実施形態では、図４に示すように、輪郭１３０ｂと輪郭１２３ａとが曲線状に連続している。このような形状とすることで、第２折目線Ｆ１２において内フラップ部１３０と下外フラップ部１２３とが容易に切れないようにすることができ、容器１００の耐久性を向上することができる。
【００３６】
蓋フラップ部１４０は、基部１１０に第３折目線Ｆ１３を介して連設され、第３折目線Ｆ１３にて折り返すことで袋体１０５を閉塞可能なフラップ部である。このように、容器１００が蓋フラップ部１４０を備えていることで、容器１００を閉塞することができる。
この蓋フラップ部１４０には、後述する締結手段１５０が取り付けられている。なお、容器１００の美観向上の観点から、第３折目線Ｆ１３と、基部１１０と下外フラップ部１２３とを連設する第１折目線Ｆ１１とは平行であることが好ましい。
【００３７】
締結手段１５０は、蓋フラップ部１４０が袋体１０５を閉塞した状態で、蓋フラップ部１４０と袋体１０５とを締結する手段である。締結手段１５０としては、例えば、丸留め、面ファスナー、粘着テープ、切り込みへの引っ掛け、ホック等を採用することができる。本実施形態では、締結手段１５０として丸留めが採用され、下外フラップ部１２３に取り付けられた止め具１５１と、蓋フラップ部１４０に取り付けられた止め具１５２とを紐１５３で連結することで容器１００が閉塞される。このように、当該容器１００が締結手段１５０をさらに備えていることで、容器１００を確実に閉塞することができる。
【００３８】
次に、当該容器１００の形成方法について説明する。図５Ａおよび図５Ｂは、図１の容器１００の形成過程を示す概略図である。ここで例示する容器１００の形成に用いられるシートＳ１は、図３に示すように、上述した基部１１０と、外フラップ部１２０と、内フラップ部１３０と、蓋フラップ部１４０と、締結手段１５０とにより構成されている。
【００３９】
このようなシートＳ１を用い、まず、第１折目線Ｆ１１に沿って左外フラップ部１２１および右外フラップ部１２２をそれぞれ折ると共に第１折目線Ｆ１１に沿って下外フラップ部１２３を折ることにより、基部１１０と３つの外フラップ部１２０とにより物品ｂを収容する袋体１０５が形成される（図５Ａ（ａ）、（ｂ）参照）。次いで、第２折目線Ｆ１２に沿って内フラップ部１３０を袋体１０５の内部に折ることにより、内フラップ部１３０の外縁１３０ａの少なくとも一部が基部１１０に当接する（図５Ｂ（ｃ）、（ｄ）参照）。
【００４０】
これらの操作の後、必要に応じ、袋体１０５内において互いに当接した内フラップ部１３０と基部１１０との間に物品ｂを矢示方向に差し入れる。このとき、物品ｂは、シートＳ１が有する弾力性により内フラップ部１３０と基部１１０との間に挟持される（図５Ｂ（ｅ）参照）。次いで、蓋フラップ部１４０を折り返し、紐１５３を２つの止め具１５１、１５２に掛け渡すことで両止め具１５１、１５２が連結されて容器１００が閉塞される（図１（ａ）、（ｂ）参照）。
【００４１】
以上のように、当該容器１００は、内フラップ部１３０の外縁１３０ａの少なくとも一部が基部１１０に当接し、かつシートＳ１が基部１１０と下外フラップ部１２３との間隔を拡張可能な弾力性を有しているので、容器１００内部の空間を拡げて物品ｂを容易に差し入れることができると共に、収容された物品ｂが容易に抜け出すのを防止することができる。
【００４２】
［第２の実施形態］
図６は、本発明の第２の実施形態を示す概略図である。また、図７は、図６の容器の展開状態を示す概略図である。当該容器２００は、図６および図７に示すように、概略的に、基部２１０と、外フラップ部２２０と、内フラップ部２３０と、蓋フラップ部２４０と、締結手段２５０とにより構成されている。第２の実施形態の容器２００は、左外フラップ部１２１および右外フラップ部１２２（図３参照）を備えていない点で、第１の実施形態と異なっている。なお、基部２１０は基部１１０と、内フラップ部２３０は内フラップ部１３０と、蓋フラップ部２４０は蓋フラップ部１４０と、締結手段２５０は締結手段１５０と同様な構成であるため、第１の実施形態の説明を援用して省略する。
【００４３】
外フラップ部２２０は、下外フラップ部２２０からなる単一の外フラップ部により構成されている。下外フラップ部２２０は、基部２１０に第１折目線Ｆ２１を介して連設され、第１折目線Ｆ２１にて基部２１０に向かって折り返し可能となっている。この下外フラップ部２２０の対向かつ開放された両端部には、図７の斜線領域で示すように、接着剤等により下外フラップ部２２０と基部２１０とを接合するためののり代２２０ａが設けられている。また、下外フラップ部２２０には、後述する内フラップ部２３０および締結手段２５０が取り付けられている。
【００４４】
次に、当該容器２００の形成方法について説明する。図８は、図６の容器の形成過程を示す概略図である。ここで例示する容器２００の形成に用いられるシートＳ２は、図７に示すように、上述した基部２１０と、外フラップ部２２０と、内フラップ部２３０と、蓋フラップ部２４０と、締結手段２５０とにより構成されている。
【００４５】
このようなシートＳ２を用い、まず、第１折目線Ｆ２１に沿って下外フラップ部２２０を折り返すと共に下外フラップ部２２０の開放された両端部（のり代２２０ａ）と基部２１０とを接合することにより、基部２１０と下外フラップ部２２０とにより物品ｂを収容する袋体２０５が形成される（図８（ａ）参照）。次いで、第２折目線Ｆ２２に沿って内フラップ部２３０を袋体２０５の内部に折ることにより、内フラップ部２３０の外縁２３０ａの少なくとも一部が基部２１０に当接する（図８（ｂ）参照）。なお、物品ｂの収容および容器２００の閉塞については、第１の実施形態と同様であるため、その説明を援用して省略する。
【００４６】
以上のように、当該容器２００は、内フラップ部２３０の外縁２３０ａの少なくとも一部が基部２１０に当接し、かつシートＳ２が基部２１０と外フラップ部２２０との間隔を拡張可能な弾力性を有しているので、容器２００内部の空間を拡げて物品ｂを容易に差し入れることができると共に、収容された物品ｂが容易に抜け出すのを防止することができる。
【００４７】
［第３の実施形態］
図９は、本発明の第３の実施形態を示す概略図である。また、図１０は、図９の容器の展開状態を示す概略図である。当該容器３００は、１つの当該容器の基部における袋体開口側の端縁と、上記容器と異なる他の当該容器の基部における袋体開口側の端縁とが対向接続され、この対向接続された部位（第４折目線）にて互いに異なる上記容器どうしを折り返すことで各容器を閉塞可能な容器である。
【００４８】
当該容器３００は、図９および図１０に示すように、概略的に、第１および第２の基部３１０１、３１０２と、第１および第２の外フラップ部３２０１、３２０２と、第１および第２の内フラップ部３３１、３３２と、締結手段３５０とにより構成されている。また、第１の外フラップ部３２０１は第１の左外フラップ部３２１１、第１の右外フラップ部３２２１および下外フラップ部３２３により構成され、第２の外フラップ部３２０２は第２の左外フラップ部３２１２、第２の右外フラップ部３２２２および上外フラップ部３２４により構成されている。第３の実施形態の容器３００は、２つの容器３００１、３００２を備えている点で、第１の実施形態と異なっている。なお、シートＳ３を形成する材料、第１および第２の外フラップ部３２０１、３２０２はそれぞれ外フラップ部１２０と、内フラップ部３３１、３３２は内フラップ部１３０と同様な構成であるため、第１の実施形態の説明を援用して省略する。
【００４９】
第１および第２の基部３１０１、３１０２は、それぞれ第１および第２の容器３００１、３００２の底部を構成する部位である。各基部３１０１、３１０２は、平面視で長方形状であり、この長方形状を構成する４つの辺のうちの３つの辺のそれぞれが第１折目線Ｆ３１となって、この第１折目線Ｆ３１を介して第１および第２の外フラップ部３２０１、３２０２が連設されている。また、各基部３１０１、３１０２の上記長方形状を構成する４つの辺のうちの残りの１つの辺が第４折目線Ｆ３４となって、この第４折目線Ｆ３４を介して第１および第２の基部３１０１、３１０２が対向接続されている。なお、容器３００の美観向上の観点から、第１および第２の基部３１０１、３１０２は、第４折目線Ｆ３４で折り返した時に互いに重なることが好ましい。
【００５０】
締結手段３５０は、第１および第２の容器３００１、３００２どうしが折り返された状態で、これらの容器３００１、３００２どうしを締結する手段である。締結手段３５０としては、例えば、第１の実施形態で説明した締結手段１５０と同様のもの等を採用することができる。本実施形態では、締結手段３５０として丸留めが採用され、第１の基部３１０１に取り付けられた止め具３５１と、第２の基部３１０２に取り付けられた止め具３５２とを紐３５３で連結することで容器３００が閉塞される。このように、当該容器３００が締結手段３５０をさらに備えていることで、容器３００を確実に閉塞することができる。
【００５１】
次に、当該容器３００の形成方法について説明する。図１１は、図９の容器の形成過程を示す概略図である。ここで例示する容器３００の形成に用いられるシートＳ３は、図１０に示すように、上述した第１および第２の基部３１０１、３１０２と、第１および第２の外フラップ部３２０１、３２０２と、第１および第２の内フラップ部３３１、３３２と、締結手段３５０とにより構成されている。
【００５２】
このようなシートＳ３を用い、まず、第１折目線Ｆ３１に沿って第１の左外フラップ部３２１１および第１の右外フラップ部３２２１をそれぞれ折ると共に第１折目線Ｆ３１に沿って下外フラップ部３２３を折ることにより、第１の基部３１０１と３つの外フラップ部３２０１とにより物品ｂを収容する第１の袋体３０５１が形成される。次いで、第２折目線Ｆ３２に沿って第１の内フラップ部３３１を第１の袋体３０５１の内部に折ることにより、第１の内フラップ部３３１の外縁３３１ａの少なくとも一部が第１の基部３１０１に当接した第１の容器３００１が形成される。
【００５３】
次に、第１の容器３００１の形成と同様に操作し、第１折目線Ｆ３１に沿って第２の左外フラップ部３２１２、第２の右外フラップ部３２２２および上外フラップ部３２４を折って第２の袋体３０５２を形成した後、第２折目線Ｆ３２に沿って第２の内フラップ部３３２を第２の袋体３０５２の内部に折ることにより、第２の内フラップ部３３２の外縁３３２ａの少なくとも一部が第２の基部３１０２に当接した第２の容器３００２が形成される。
【００５４】
これらの操作の後、必要に応じ、第１の実施形態と同様にして第１の袋体３０５１および／または第２の袋体３０５２に物品ｂを差し入れる。次いで、第４折目線Ｆ３４にて互いに異なる第１および第２の容器３００１、３００２を折り返し、紐３５３を２つの止め具３５１、３５２に掛け渡すことで両止め具３５１、３５２が連結されて当該容器３００が閉塞される（図９参照）。
【００５５】
以上のように、当該容器３００は、第１および第２の容器３００１、３００２の基部３１０１、３１０２における袋体３０５１、３０５２開口側の端縁が対向接続され、第４折目線Ｆ３４にて互いに異なる第１および第２の容器３００１、３００２どうしを折り返すことができるので、複数の容器３００１、３００２に物品ｂを容易に差し入れることができると共に、収容された物品ｂが容易に抜け出すのを防止することができる。
【００５６】
なお、本発明に係る容器は、上述した実施形態の構成に限定されるものではなく、特許請求の範囲によって示され、特許請求の範囲と均等の意味および範囲内での全ての変更が含まれることが意図される。
【００５７】
例えば、上述した実施形態では、基部１１０、２１０、３１０１、３１０２を構成する辺が折目線となる容器１００、２００、３００について説明したが、例えば、少なくとも一部の外フラップ部と基部とが別体で構成されており、上記外フラップ部が上記基部の片面（端縁を除く）上に折目線を介して貼着等により連設されているものであってもよい。
【００５８】
また、上述した実施形態では、基部１１０、２１０、３１０１、３１０２が平面視で長方形状である容器１００、２００、３００について説明したが、長方形状以外の四角形状（例えば、不等辺四角形状、台形状等）や上記四角形状以外の多角形状等も本発明の意図する範囲内である。
【００５９】
また、上述した第１および第２の実施形態では、蓋フラップ部１４０、２４０を備えている容器１００、２００について説明したが、蓋フラップ部を備えていない容器であってもよい。
【００６０】
また、上述した第１〜第３の実施形態では、締結手段１５０、２５０、３５０として丸留めを備えている容器１００、２００、３００について説明したが、丸留め以外の締結手段を備えている容器、締結手段を備えていない容器、基部１１０、２１０、３１０１、３１０２を構成する辺のうち最も短い辺の長さよりも短い長さの厚みを有する容器も本発明の意図する範囲内である。
【００６１】
また、上述した第１〜第３の実施形態では、内フラップ部１３０、２３０、３３１、３３２が略台形状に形成され、内フラップ部１３０、２３０、３３１、３３２の基部１１０、２１０、３１０１、３１０２に当接する外縁１３０ａ、２３０ａ、３３１ａ、３３２ａの長さが第２折目線Ｆ１２、Ｆ２２、Ｆ３２の長さよりも長くなるように形成されている容器１００、２００、３００について説明したが、本発明の効果を損なわない限り、内フラップ部が略台形状以外の形状であってもよく、例えば、上記外縁の長さが第２折目線の長さと同じかまたは第２折目線の長さよりも短かいものであってもよい。
【００６２】
また、上述した実施形態では示していないが、当該容器が蓋フラップ部を有しかつ第１折目線が上記折目線の一群のいずれかである場合、略平行の折目線は上記蓋フラップ部に向かって各折目線の間隔が狭くなったり、広くなったりしていてもよい。これにより、袋体に厚みを付与して物品ｂの収容量を増やすことができる。
【産業上の利用可能性】
【００６３】
本発明の容器は、名刺、クレジットカード等の各種カード、はがき、スマートフォン、小冊子等の薄い物を収容するのに適している。中でも、本発明の容器は、内フラップ部の外縁の少なくとも一部が基部に当接すると同時に、シートが上記弾力性を有しているため、袋体内部の物品を内フラップ部で押さえることができ、特に名刺やはがき等を多数収容した場合にこれらが袋体から滑り出ることを防止できるので、これらの収容し持ち運ぶのに適している。
【符号の説明】
【００６４】
Ｓ１、Ｓ２、Ｓ３  シート
ｂ  物品
Ｆ１１、Ｆ２１、Ｆ３１  第１折目線
Ｆ１２、Ｆ２２、Ｆ３２  第２折目線
Ｆ１３、Ｆ２３  第３折目線
Ｆ３４  第４折目線
１００、２００、３００  容器
１１０、２１０、３１０１、３１０２  基部
１２０、２２０、３２０１、３２０２  外フラップ部
１３０、２３０、３３１、３３２  内フラップ部
１４０、２４０  蓋フラップ部
１５０、２５０、３５０  締結手段
【要約】
【課題】内部の空間を拡げて物品を容易に収容することができると共に、収容された物品が容易に抜け出すのを防止することができる容器の提供を目的とする。
【解決手段】本発明の容器１００は、シートＳ１を折ることで形成され、内部に物品ｂを収容可能な容器であって、シートＳ１が、基部１１０と、複数の外フラップ部１２０と、内フラップ部１３０とを備え、各第１折目線Ｆ１１に沿って複数の外フラップ部１２０を折ると、基部１１０と複数の外フラップ部１２０とにより物品ｂを収容する袋体１０５が形成されると共に、第２折目線Ｆ１２に沿って内フラップ部１３０を折ると、内フラップ部１３０の外縁１３０ａの少なくとも一部が基部１１０に当接し、シートＳ１は、内フラップ部１３０の外縁１３０ａが基部１１０に当接することで袋体１０５の内部における基部１１０と外フラップ部１２０との間隔を拡張可能な弾力性を有していることを特徴とする。
【選択図】図１【図１】
0005938508.tif 000002
【図２】
0005938508.tif 000003
【図３】
0005938508.tif 000004
【図４】
0005938508.tif 000005
【図５Ａ】
0005938508.tif 000006
【図５Ｂ】
0005938508.tif 000007
【図６】
0005938508.tif 000008
【図７】
0005938508.tif 000009
【図８】
0005938508.tif 000010
【図９】
0005938508.tif 000011
【図１０】
0005938508.tif 000012
【図１１】
0005938508.tif 000013